(57)【要約】  本技術は、小型かつ良好な特性で、安定した形状を保つことができるようにする電気音響変換器および電気音響変換装置に関する。電気音響変換器は、シート状の圧電材料からなり、湾曲した形状を有する第１のシートと、第１のシートと略同形状であり、第１のシートに重ねられて配置された第２のシートとを備える。本技術は電気音響変換器に適用することができる。
2018079583.tif 000002
【特許請求の範囲】
【請求項１】
シート状の圧電材料からなり、湾曲した形状を有する第１のシートと、
前記第１のシートと略同形状であり、前記第１のシートに重ねられて配置された第２のシートと
を備える電気音響変換器。
【請求項２】
前記第２のシートは不織布である
請求項１に記載の電気音響変換器。
【請求項３】
前記第１のシートと略同形状であり、前記第２のシートにおける前記第１のシート側とは反対側に重ねられて配置された、シート状の圧電材料からなる第３のシートをさらに備える
請求項２に記載の電気音響変換器。
【請求項４】
前記第２のシートは圧電材料からなる
請求項１に記載の電気音響変換器。
【請求項５】
前記第２のシートは前記第１のシートに接着されている
請求項１に記載の電気音響変換器。
【請求項６】
前記第１のシートおよび前記第２のシートは、前記第１のシートおよび前記第２のシートの端部分に設けられた押え部が、フレーム固定部材とフレームベースとの間に挟まれて押えられることにより固定されている
請求項１に記載の電気音響変換器。
【請求項７】
前記フレーム固定部材および前記フレームベースには、前記第１のシートおよび前記第２のシートを露出させる開口部が設けられている
請求項６に記載の電気音響変換器。
【請求項８】
前記フレーム固定部材および前記フレームベースの少なくとも何れか一方には、前記フレーム固定部材と前記フレームベースとが並ぶ第１の方向と略垂直な第２の方向から見たときに、前記第１の方向に対して開口部の幅が変化するようにテーパ部が形成されている
請求項７に記載の電気音響変換器。
【請求項９】
前記テーパ部は、前記第１の方向における前記第１のシートおよび前記第２のシートから遠い位置ほど開口部の幅が広くなるように形成されている
請求項８に記載の電気音響変換器。
【請求項１０】
前記テーパ部は、前記第１の方向における前記第１のシートおよび前記第２のシートから遠い位置ほど開口部の幅が狭くなるように形成されている
請求項８に記載の電気音響変換器。
【請求項１１】
湾曲した形状を有し、シート状の圧電材料からなる第１のシート、および前記第１のシートと略同形状であり、前記第１のシートに重ねられて配置された第２のシートを有する第１の電気音響変換器と、
シート状の圧電材料からなり、湾曲した形状を有し、前記第１のシートまたは前記第２のシートとは面積が異なる第３のシートを有する第２の電気音響変換器と
を備える電気音響変換装置。
【請求項１２】
前記第１の電気音響変換器と前記第２の電気音響変換器のうちの低域用の電気音響変換器には、前記低域用の電気音響変換器を保護するとともに周波数特性を調整するための保護調整部が接続されている
請求項１１に記載の電気音響変換装置。
【請求項１３】
前記保護調整部は、保護抵抗またはローパスフィルタである
請求項１２に記載の電気音響変換装置。
【請求項１４】
湾曲した形状を有し、シート状の圧電材料からなる第１のシート、および前記第１のシートと略同形状であり、前記第１のシートに重ねられて配置された第２のシートを有する第１の電気音響変換器と、
湾曲した形状を有し、シート状の圧電材料からなる第３のシート、および前記第３のシートと略同形状であり、前記第３のシートに重ねられて配置された第４のシートを有し、前記第３のシートおよび前記第４のシートは前記第１のシートおよび前記第２のシートとは面積が異なる第２の電気音響変換器と
を備える電気音響変換装置。
【発明の詳細な説明】
【技術分野】
【０００１】
本技術は電気音響変換器および電気音響変換装置に関し、特に、小型かつ良好な特性で、安定した形状を保つことができるようにした電気音響変換器および電気音響変換装置に関する。
【背景技術】
【０００２】
従来、圧電材料を用いたオーディオデバイスの１つとして、半球状の振動体の両面に駆動電極を形成したスピーカがある。そのようなスピーカとして、圧電性高分子フィルムが、周縁よりも頂部が膨れだして湾曲した構造とされ、その表裏両面に電極が形成されている圧電スピーカが提案されている（例えば、特許文献１参照）。【０００３】
また、広い周波数帯域にわたって良好な再生周波数特性を確保するために、ダイナミックスピーカと圧電スピーカとを組み合わせてなる複合型スピーカも提案されている（例えば、特許文献２参照）。
【先行技術文献】
【特許文献】
【０００４】
【特許文献１】特開昭５９−１５８１９９号公報
【特許文献２】特開２００４−１４７０７７号公報
【発明の概要】
【発明が解決しようとする課題】
【０００５】
しかしながら上述した技術では、小型かつ良好な特性で、形状が安定したスピーカを得ることは困難であった。【０００６】
例えば特許文献１に記載の圧電スピーカでは、フィルム素材である圧電性高分子フィルムが柔らかいことから、圧電性高分子フィルム部分の形状は不安定であり、商品としてみると容易にユーザ動作による陥没等の外観損傷を生じさせてしまう。【０００７】
また、特許文献２に記載の複合型スピーカでは、ダイナミックスピーカが含まれていることから、圧電スピーカの利点の１つである薄型化が困難となってしまう。【０００８】
本技術は、このような状況に鑑みてなされたものであり、小型かつ良好な特性で、安定した形状を保つことができるようにするものである。
【課題を解決するための手段】
【０００９】
本技術の第１の側面の電気音響変換器は、シート状の圧電材料からなり、湾曲した形状を有する第１のシートと、前記第１のシートと略同形状であり、前記第１のシートに重ねられて配置された第２のシートとを備える。【００１０】
前記第２のシートを不織布とすることができる。【００１１】
電気音響変換器には、前記第１のシートと略同形状であり、前記第２のシートにおける前記第１のシート側とは反対側に重ねられて配置された、シート状の圧電材料からなる第３のシートをさらに設けることができる。【００１２】
前記第２のシートを圧電材料とすることができる。【００１３】
前記第２のシートは前記第１のシートに接着されているようにすることができる。【００１４】
前記第１のシートおよび前記第２のシートは、前記第１のシートおよび前記第２のシートの端部分に設けられた押え部が、フレーム固定部材とフレームベースとの間に挟まれて押えられることにより固定されているようにすることができる。【００１５】
前記フレーム固定部材および前記フレームベースには、前記第１のシートおよび前記第２のシートを露出させる開口部が設けられているようにすることができる。【００１６】
前記フレーム固定部材および前記フレームベースの少なくとも何れか一方には、前記フレーム固定部材と前記フレームベースとが並ぶ第１の方向と略垂直な第２の方向から見たときに、前記第１の方向に対して開口部の幅が変化するようにテーパ部が形成されているようにすることができる。【００１７】
前記テーパ部は、前記第１の方向における前記第１のシートおよび前記第２のシートから遠い位置ほど開口部の幅が広くなるように形成されているようにすることができる。【００１８】
前記テーパ部は、前記第１の方向における前記第１のシートおよび前記第２のシートから遠い位置ほど開口部の幅が狭くなるように形成されているようにすることができる。【００１９】
本技術の第１の側面においては、電気音響変換器に、シート状の圧電材料からなり、湾曲した形状を有する第１のシートと、前記第１のシートと略同形状であり、前記第１のシートに重ねられて配置された第２のシートとが設けられる。【００２０】
本技術の第２の側面の電気音響変換装置は、シート状の圧電材料からなり、湾曲した形状を有する第１のシート、および前記第１のシートと略同形状であり、前記第１のシートに重ねられて配置された第２のシートを有する第１の電気音響変換器と、前記第１の電気音響変換器と並列に接続され、前記第１の電気音響変換器とは前記第１のシートおよび前記第２のシートの面積が異なる第２の電気音響変換器とを備える。【００２１】
前記第１の電気音響変換器と前記第２の電気音響変換器のうちの低域用の電気音響変換器には、前記低域用の電気音響変換器を保護するとともに周波数特性を調整するための保護調整部が接続されているようにすることができる。【００２２】
前記保護調整部を、保護抵抗またはローパスフィルタとすることができる。【００２３】
本技術の第２の側面においては、電気音響変換装置に、シート状の圧電材料からなり、湾曲した形状を有する第１のシート、および前記第１のシートと略同形状であり、前記第１のシートに重ねられて配置された第２のシートを有する第１の電気音響変換器と、前記第１の電気音響変換器と並列に接続され、前記第１の電気音響変換器とは前記第１のシートおよび前記第２のシートの面積が異なる第２の電気音響変換器とが設けられる。
【発明の効果】
【００２４】
本技術の第１の側面および第２の側面によれば、小型かつ良好な特性で、安定した形状を保つことができる。【００２５】
なお、ここに記載された効果は必ずしも限定されるものではなく、本開示中に記載された何れかの効果であってもよい。
【図面の簡単な説明】
【００２６】
【図１】圧電オーディオデバイスの外観の構成例を示す斜視図である。
【図２】圧電オーディオデバイスの外観の構成例を示す側面図である。
【図３】圧電オーディオデバイスの他の外観の構成例を示す斜視図である。
【図４】圧電オーディオデバイスの他の構成例を示す断面図である。
【図５】電極配線について説明する図である。
【図６】圧電オーディオ装置の外観の構成例を示す図である。
【図７】圧電オーディオ装置の回路構成例を示す図である。
【図８】圧電オーディオ装置の周波数特性を示す図である。
【図９】高域用と低域用の圧電オーディオデバイスの周波数特性を示す図である。
【図１０】低域用の圧電オーディオデバイスのインピーダンス特性を示す図である。
【図１１】製造処理を説明するフローチャートである。
【図１２】圧電オーディオデバイスの製造工程例を示す図である。
【図１３】圧電オーディオデバイスの製造工程例を示す図である。
【発明を実施するための形態】
【００２７】
以下、図面を参照して、本技術を適用した実施の形態について説明する。
【００２８】
〈第１の実施の形態〉
〈圧電オーディオデバイスの構成例〉
本技術は、シート状の圧電デバイスを湾曲させて得られた湾曲音響シートと、その湾曲音響シートと略同形状の補強シートとを重ね合わせて電気音響変換器とすることで、小型かつ良好な特性で、安定した形状を保持することができるようにするものである。
【００２９】
以下に、本技術を適用した実施の形態の例として、圧電オーディオデバイスおよび圧電オーディオ装置について説明するが、それらの実施形態は本技術に基づいて採択された例示的な実施形態であり、本技術はそれらの実施形態に特有な事項に基づいて限定解釈されるものではない。
【００３０】
図１および図２は、本技術を適用した圧電オーディオデバイスの外観の構成例を示す図である。すなわち、図１は、本技術を適用した圧電オーディオデバイスの斜視図であり、図２は、本技術を適用した圧電オーディオデバイスの側面図である。なお、図１および図２において、互いに対応する部分には同一の符号を付してあり、その説明は適宜省略する。
【００３１】
まず、図１および図２を参照して、本技術を適用した圧電オーディオデバイスについて説明する。図１および図２に示す圧電オーディオデバイス１１は、入力された音響信号としての電気信号に応じて振動し、音響信号を音へと変換する電気音響変換器、すなわちスピーカユニットである。
【００３２】
圧電オーディオデバイス１１は湾曲音響シート２１、補強シート２２、フレームリング２３、およびフレームベース２４を有している。
【００３３】
この例では、図１中、上側、つまりフレームリング２３側において、湾曲音響シート２１が露出されるようになされており、このフレームリング２３側が音を再生するときに、圧電オーディオデバイス１１により音が放射される側となっている。以下では、圧電オーディオデバイス１１の音が放射される側の面、つまり湾曲音響シート２１の露出されている側の面を、特に放射面とも称する。
【００３４】
また、圧電オーディオデバイス１１では、図２中、下側、つまりフレームベース２４側から見たときに補強シート２２が露出されるようになされており、補強シート２２が露出されている側の面が放射面と対向する面、つまり放射面と反対側の面となっている。
【００３５】
湾曲音響シート２１は、例えば音響効果を有するシート状の圧電デバイスを素材として、その一部が深さｄを有する立体形状となるように成型加工により圧電デバイスを湾曲させることで得られたものである。すなわち、成型された圧電デバイスの湾曲した形状、つまり立体形状を有する部分が湾曲音響シート２１となっている。また、湾曲音響シート２１を構成する圧電デバイスは、シート状の圧電材料の両面にそれぞれシート状の電極を設けた構成とされている。さらに、圧電デバイスには必要に応じて電極を保護するカバー層が設けられている。
【００３６】
この例では圧電オーディオデバイス１１を放射面側から見たときに、湾曲音響シート２１が放射面側とは反対の面側に突となる凹面形状となっており、具体的には湾曲音響シート２１は半径ｒの球を平面により切り取って得られた、深さｄを有する球冠形状となっている。
【００３７】
ここでは、例えば深さｄは５ｍｍ程度とされている。例えば湾曲音響シート２１における球冠形状の深さｄを小さくすると、圧電オーディオデバイス１１の低域部分の周波数特性を向上させることができる。また、湾曲音響シート２１の形状の曲率等により、圧電オーディオデバイス１１により再生される音の指向性を調整することができる。
【００３８】
また、例えば湾曲音響シート２１を構成する圧電材料は、シート状で可撓性を有する、高分子セラミックスを分散させた高分子複合圧電体などとされる。このような圧電材料は、電圧が印加されると極性に応じて伸びたり縮んだりするため、圧電材料の伸縮を利用して湾曲音響シート２１を湾曲（振動）させることで音響変換を実現することができる。
【００３９】
電気エネルギと機械エネルギを変換する性質は圧電効果と呼ばれており、この圧電効果を有するためには予め分極処理を圧電材料に施しておく必要がある。分極処理とは、例えば高い温度のもとでセラミックスに直流高電圧を印加して自発分極の向きを揃え極性を与える処理である。
【００４０】
以下では、湾曲音響シート２１や後述する他の湾曲音響シートには予め分極処理が施されているものとする。例えば湾曲音響シート２１は、成型加工が行われる前の段階で分極処理が施された状態となっているものとする。
【００４１】
補強シート２２は、シート状の部材を、その一部が湾曲音響シート２１と略同じ形状を有するように成型加工により湾曲させることで得られたものである。すなわち、成型された部材の湾曲した形状、つまり立体形状を有する部分が補強シート２２となっている。
【００４２】
したがって、補強シート２２も凹面形状、具体的には例えば半径ｒの球を平面により切り取って得られた、深さｄを有する球冠形状となっている。
【００４３】
補強シート２２は、例えば圧電デバイスとは異なる、音響効果を有さない材料から構成される。より具体的には、例えば補強シート２２は不織布などからなる。なお、以下では補強シート２２が不織布からなるものとして説明を続ける。
【００４４】
例えば圧電オーディオデバイス１１では、補強シート２２が湾曲音響シート２１における、放射面とは反対側の面に重ねられて接着剤等により接着されている。
【００４５】
このように湾曲音響シート２１に対して補強シート２２を重ねて配置することで、湾曲音響シート２１と補強シート２２を合わせた湾曲形状の面の硬さが、任意の所望する硬さとなるように制御することができるので、音圧の損失を制御することができる。具体的には、例えば圧電オーディオデバイス１１の周波数特性におけるピークやディップを低減させることができる。
【００４６】
さらに、圧電オーディオデバイス１１では、圧電材料からなる湾曲音響シート２１を振動させて音を出力させるので、小型で、つまり薄型で、かつ広い周波数帯域にわたって良好な再生周波数特性を確保することができる。特に、湾曲音響シート２１に対して補強シート２２を重ねて設けることで、形状が安定するだけでなく、湾曲音響シート２１のみを用いる場合と比較してさらに良好な周波数特性を得ることができる。
【００４７】
また、湾曲音響シート２１および補強シート２２には、それらと一体的に設けられた略リング形状の押え部２５が設けられている。
【００４８】
すなわち、成型加工された圧電デバイスにおける湾曲音響シート２１とされない部分と、成型加工された不織布における補強シート２２とされない部分とが押え部２５となっている。したがって、この例では、押え部２５は湾曲音響シート２１と補強シート２２の端部分に沿うようにして湾曲音響シート２１および補強シート２２と一体的に、つまり連続的に形成されている。
【００４９】
例えば圧電オーディオデバイス１１の製造時には、シート状の圧電デバイスと不織布が重ねられて接着剤等により接着され、それらの圧電デバイスと不織布に対して同時に成型加工が行われて湾曲音響シート２１、補強シート２２、および押え部２５が形成される。
【００５０】
なお、湾曲音響シート２１となるシート状の圧電デバイスと、補強シート２２となるシート状の不織布とに対して成型加工を行うときには、その工程において圧電デバイスと不織布とを接着させる必要がある。そこで、例えば成型工程中では、圧電デバイスと不織布の何れか一方、またはそれらの両方に接着剤が塗布される。その他、例えば不織布に熱可塑性接着剤を塗布しておき、成型工程において湾曲音響シート２１と接着できるようにしてもよい。
【００５１】
湾曲音響シート２１や補強シート２２の成型方法は、例えば圧空成型の他、プレス成型、真空成型など、どのようなものであってもよく、複数の成型方法を組み合わせた方法により成型が行われるようにしてもよい。
【００５２】
また、ここでは放射面側に湾曲音響シート２１が配置され、その湾曲音響シート２１の放射面側とは反対側に補強シート２２が配置される例について説明するが、放射面側に補強シート２２が配置され、その補強シート２２の放射面側とは反対側に湾曲音響シート２１が配置されてもよい。そのような場合であっても、圧電デバイスと不織布の少なくとも何れか一方に接着剤が塗布されるようにすればよい。
【００５３】
湾曲音響シート２１には、電極を引き出すための電極部２６−１および電極部２６−２が接続されている。
【００５４】
例えば電極部２６−１は湾曲音響シート２１を構成する圧電デバイスの放射面側に設けられた電極に接続されており、電極部２６−２は湾曲音響シート２１を構成する圧電デバイスの放射面側とは反対側に設けられた電極に接続されている。これらの電極部２６−１および電極部２６−２は、例えば音響信号線を介して増幅器に接続される。
【００５５】
このように電極部２６−１および電極部２６−２を設けることで、圧電オーディオデバイス１１と再生制御機器とを容易に接続することができるようになる。なお、以下、電極部２６−１および電極部２６−２を特に区別する必要のない場合、単に電極部２６とも称することとする。
【００５６】
なお、ここでは２つの電極部２６が互いに隣接して配置される場合について説明するが、これらの電極部２６は、例えば左端と右端など、互いに離れた位置等、任意の位置に配置することができる。このことは、以降において説明する湾曲音響シートに接続される電極部についても同様である。
【００５７】
フレームリング２３およびフレームベース２４は、中央部分が円形状にくり抜かれたリング形状の部材から形成されており、これらのフレームリング２３およびフレームベース２４によって、湾曲音響シート２１および補強シート２２が固定されている。
【００５８】
すなわち、圧電オーディオデバイス１１では、フレームリング２３と、フレームベース２４との間に押え部２５と電極部２６が挟み込まれるように配置されている。そして、止め具２７によってフレームリング２３がフレームベース２４に押さえ付けられて、これにより湾曲音響シート２１および補強シート２２がフレームベース２４に対して固定される。
【００５９】
なお、押え部２５は、湾曲音響シート２１および補強シート２２を好適に押さえることができる程度の幅となるように形成されればよい。しかし、例えば押え部２５の幅、つまり押え部２５の面積を必要最小限の面積とすると、超高周波数帯域の再生で圧電オーディオデバイス１１のインピーダンスの低下により影響が生じることを抑えることができる。
【００６０】
その他、例えば押え部２５の幅を広くし、フレームベース２４におけるフレームリング２３と当接する側の面全体が押え部２５により覆われるようにしてもよい。
【００６１】
このようにフレームリング２３とフレームベース２４により押え部２５を固定することで、成型された湾曲音響シート２１および補強シート２２の形状をより安定的に保持することができる。なお、湾曲音響シート２１および補強シート２２を固定する固定部材は、フレームリング２３とフレームベース２４で示される円形状に限らず、矩形枠状の部材等どのようなものであってもよい。
【００６２】
また、図１に示すようにフレームリング２３の中央のくり抜かれた部分が、放射面側にある湾曲音響シート２１全体を露出させる開口部２８となっている。開口部２８の図１中、横方向の幅は湾曲音響シート２１の図中、横方向の幅と同じかそれよりも広くなるように形成されている。
【００６３】
同様に、図２に示すようにフレームベース２４の中央のくり抜かれた部分が、放射面側とは反対側にある補強シート２２全体を露出させる開口部２９となっている。開口部２９の図２中、横方向の幅は補強シート２２の図２中、横方向の幅と略同じとなるように形成されている。
【００６４】
さらに、フレームリング２３およびフレームベース２４には、圧電オーディオデバイス１１の周波数特性を調整するためのテーパ部が設けられている。
【００６５】
すなわち、例えば図１に示すように、フレームリング２３のエッジ部分にはテーパ部３０が形成されている。また、図２に示すようにフレームベース２４のエッジ部分にはテーパ部３１が形成されている。
【００６６】
これらのテーパ部３０およびテーパ部３１は、フレームリング２３とフレームベース２４により固定された湾曲音響シート２１等から発せられる音響（音）に対する影響、すなわち周波数特性を制御することができる。
【００６７】
例えばテーパ部３０は、フレームリング２３の内側の縁に沿うように、フレームリング２３における湾曲音響シート２１近傍の部分に形成されている。
【００６８】
そして、フレームリング２３を図２中、奥行き方向に見たときに、つまりフレームリング２３をフレームリング２３とフレームベース２４とが並ぶ方向と略垂直な方向から見たときに、図２中、縦方向に対して開口部２８の図２中、横方向の幅が変化するようにテーパ部３０が形成されている。
【００６９】
特に、ここでは図２中、縦方向における湾曲音響シート２１から遠い位置ほど、開口部２８の図２中、横方向の幅が広くなるようにテーパ部３０が形成されている。
【００７０】
換言すれば、フレームリング２３におけるフレームベース２４側では、フレームリング２３の内径が小さく、フレームベース２４側とは反対側にいくほどフレームリング２３の内径が大きくなっている。以下では、湾曲音響シート２１や補強シート２２がある側の位置ほど開口部の幅が小さく（狭く）なるようなテーパ構造を順テーパ構造とも称することとする。
【００７１】
一方、図２に示すようにテーパ部３１は、フレームベース２４の内側の縁に沿うように、フレームベース２４における補強シート２２近傍の部分に形成されている。
【００７２】
フレームベース２４を図２中、奥行き方向に見たときに、つまりフレームベース２４をフレームリング２３とフレームベース２４とが並ぶ方向と略垂直な方向から見たときに、図２中、縦方向に対して開口部２９の図２中、横方向の幅が変化するようにテーパ部３１が形成されている。
【００７３】
特に、ここでは図２中、縦方向における補強シート２２から遠い位置ほど、開口部２９の図２中、横方向の幅が狭くなるようにテーパ部３１が形成されている。
【００７４】
換言すれば、フレームベース２４におけるフレームリング２３側では、フレームベース２４の内径が大きく、フレームリング２３側とは反対側にいくほどフレームベース２４の内径が小さくなっている。以下では、湾曲音響シート２１や補強シート２２がある側の位置ほど開口部の幅が大きく（広く）なるようなテーパ構造を逆テーパ構造とも称することとする。
【００７５】
このようにフレームリング２３やフレームベース２４にテーパ部を形成してテーパ構造とすることで、湾曲音響シート２１や補強シート２２の表面近傍の空気に対する露出度合いを調整することができる。これにより、所望の周波数特性に調整することができる。
【００７６】
なお、テーパ部３０やテーパ部３１は、フレームリング２３とフレームベース２４により押え部２５を押さえることができるようになっていれば、どのような構造でもよい。
【００７７】
また、ここではフレームリング２３とフレームベース２４の両方にテーパ部が設けられる構成を例として説明するが、フレームリング２３とフレームベース２４の何れか一方のみにテーパ部が設けられるようにしてもよいし、フレームリング２３とフレームベース２４の何れにもテーパ部が設けられないようにしてもよい。
【００７８】
さらに、テーパ部３０やテーパ部３１のテーパ構造は、順テーパ構造と逆テーパ構造の何れであってもよい。特にテーパ部３０を順テーパ構造とし、テーパ部３１を逆テーパ構造とすると、良好な周波数特性を得ることができる。このとき押え部２５の一部はフレームリング２３とフレームベース２４により押さえられていなくてもよい。
【００７９】
以上のような圧電オーディオデバイス１１は、電極部２６から音響信号としての電気信号が供給されると動作し、音響信号に応じた音を出力する。すなわち、音響信号が供給されると、湾曲音響シート２１が音響信号に応じて振動し、これにより音が再生される。
【００８０】
ここで、湾曲音響シート２１を構成する素材として、フレキシブルな圧電材料を用いた場合における圧電オーディオデバイス１１の音圧に関する感度について説明する。
【００８１】
成型加工を施すことにより湾曲音響シート２１は曲面形状となっており、圧電効果を有する圧電オーディオデバイス１１の音圧の感度は、もっぱら湾曲音響シート２１部分における面積と厚さに関係する。
【００８２】
すなわち、一般的なコンデンサの容量Ｃの式に従うようにして、湾曲音響シート２１部分の面積が大きい方が、また湾曲音響シート２１部分の厚さが薄い方が感度を向上させることができる。換言すれば、同じ電圧を印加したときでもより大きい音圧を得ることができる。
【００８３】
例えば圧電オーディオデバイス１１の感度を向上させていき、所望の音圧を得ようとするとき、湾曲音響シート２１部分の面積をより大きくすること、および湾曲音響シート２１部分の厚さをより薄くすることは、何れも湾曲音響シート２１部分の形状の安定性を低下させることになる。
【００８４】
そこで、圧電オーディオデバイス１１では、例えば補強シート２２が湾曲音響シート２１とは異なる、音響効果を有さない不織布などの材料により形成され、湾曲音響シート２１と補強シート２２が重ねられて配置される。これにより、圧電オーディオデバイス１１の感度を向上させつつ、湾曲音響シート２１の成型の形状の保持力を強化させることができる。また、ダイナミックスピーカ等を用いることなく、小型、つまり薄型で良好な周波数特性の圧電オーディオデバイス１１を得ることができる。
【００８５】
以上のように、圧電オーディオデバイス１１では、圧電材料からなる湾曲音響シート２１と、不織布からなる補強シート２２とを重ねて配置することで、小型かつ良好な周波数特性で、形状が安定した電気音響変換器を得ることができる。
【００８６】
〈第１の実施の形態の変形例１〉
〈圧電オーディオデバイスの構成例〉
なお、以上においては、湾曲音響シート２１や補強シート２２が放射面側とは反対側に突である凹面形状である例について説明した。しかし、湾曲音響シート２１や補強シート２２は、例えば図３に示すように、放射面側に突である凸面形状とされてもよい。なお、図３において図１における場合と対応する部分には同一の符号を付してあり、その説明は適宜省略する。
【００８７】
図３は、本技術を適用した圧電オーディオデバイスの他の構成例を示す斜視図を示している。図３に示す圧電オーディオデバイス６１は、湾曲音響シート２１、補強シート２２、フレームリング２３、およびフレームベース７１を有している。なお、補強シート２２は湾曲音響シート２１の図中、下側に重ねられて配置されているため、図３では補強シート２２は湾曲音響シート２１に隠れて見えない状態となっている。
【００８８】
この圧電オーディオデバイス６１では、図中、上側が放射面側となっており、湾曲音響シート２１および補強シート２２は、それらの端部分に設けられた押え部２５がフレームリング２３とフレームベース７１とにより押さえられることにより固定されている。
【００８９】
図３では、湾曲音響シート２１および補強シート２２は、図中、上側に突となる凸面形状となっており、具体的には湾曲音響シート２１および補強シート２２は、半径ｒの球を平面により切り取って得られた、深さｄを有する球冠形状となっている。
【００９０】
また、圧電オーディオデバイス６１では、フレームベース７１の外形は直方体形状となっており、フレームベース７１の放射面側の面の一部分にフレームリング２３が押し当てられて、止め具２７によりフレームリング２３がフレームベース７１に固定されている。つまり、この例ではフレームベース７１における放射面側の面は、フレームリング２３全体よりも広くなっている。さらに、フレームベース７１には、テーパ部３１に対応するテーパ部も形成されている。
【００９１】
以上のように湾曲音響シート２１や補強シート２２の形状は、湾曲した形状であればどのような形状であってもよい。
【００９２】
例えば湾曲音響シート２１や補強シート２２の形状は、その他、断面が正方形状等の略四角形となり、かつ深さｄを有する冠形状とされてもよい。また、例えば湾曲音響シート２１や補強シート２２の形状は、放射面側と反対側の部分が所定の半径ｒ１の球の一部となる球帯形状であり、その部分よりも放射面側の部分が半径ｒ２の球の一部である球冠形状となるような球帯と球冠を組み合わせた複合的な立体形状（湾曲形状）とされてもよい。
【００９３】
湾曲音響シート２１や補強シート２２の形状を適切に調整すれば、圧電オーディオデバイスで得られる音の音質を調整することができる。
【００９４】
〈第１の実施の形態の変形例２〉
〈圧電オーディオデバイスの構成例〉
さらに、以上においては圧電オーディオデバイス１１には、湾曲音響シート２１と補強シート２２の２つのシートが設けられる例について説明した。しかし、圧電オーディオデバイスに、互いに重ねられた略同形状の３以上のシートが設けられるようにし、それらの３以上のシートのうちの少なくとも１つが音響効果を有する湾曲音響シートとされるようにしてもよい。
【００９５】
そのような場合、例えば圧電オーディオデバイス１１は、図４に示すように構成される。なお、図４において図１または図２における場合と対応する部分には同一の符号を付してあり、その説明は適宜省略する。
【００９６】
図４は、３つのシートが設けられる場合における圧電オーディオデバイス１１の断面図を示している。この例では、圧電オーディオデバイス１１の構成は、図１および図２に示した圧電オーディオデバイス１１に対して、さらに湾曲音響シート１０１が設けられた構成となっている。すなわち、図４に示す圧電オーディオデバイス１１では、３つのシートとして湾曲音響シート２１、補強シート２２、および湾曲音響シート１０１が設けられており、湾曲音響シート２１および補強シート２２は、図１および図２に示した例と同じ形状となっている。
【００９７】
この例では、図中、上側が放射面側となっており、湾曲音響シート２１の放射面側とは反対側に補強シート２２が重ねられて配置されている。また、補強シート２２の放射面側、つまり湾曲音響シート２１側とは反対側には湾曲音響シート１０１が重ねられて配置されている。そして、これらの湾曲音響シート２１、補強シート２２、および湾曲音響シート１０１は略同形状となっている。このような配置から、図４の圧電オーディオデバイス１１では、開口部２９側では湾曲音響シート１０１全体が露出するようになされている。
【００９８】
湾曲音響シート１０１は、例えば音響効果を有するシート状の圧電デバイスを素材として、その一部が深さｄを有する立体形状となるように成型加工により圧電デバイスを湾曲させることで得られたものである。また、湾曲音響シート１０１としての圧電デバイスは、圧電材料の両面にそれぞれ電極を設けた構成とされている。さらに、圧電デバイスには必要に応じて電極を保護するカバー層が設けられている。
【００９９】
図４の圧電オーディオデバイス１１では、成型加工された圧電デバイスにおける湾曲音響シート２１とされない部分と、成型加工された不織布における補強シート２２とされない部分と、成型加工された圧電デバイスにおける湾曲音響シート１０１とされない部分とが押え部２５となっている。そして、この押え部２５がフレームリング２３とフレームベース２４の間に挟まれて押さえられ、これにより湾曲音響シート２１、補強シート２２、および湾曲音響シート１０１がフレームベース２４に固定されている。
【０１００】
湾曲音響シート２１、補強シート２２、および湾曲音響シート１０１の成型工程では、湾曲音響シート２１、補強シート２２、および湾曲音響シート１０１が互いに接着されている必要がある。そのため、成型工程では、例えば補強シート２２の両面に接着剤が塗布されて、湾曲音響シート２１と補強シート２２が接着されるとともに、補強シート２２と湾曲音響シート１０１も接着される。その他、例えば補強シート２２に熱可塑性接着剤を塗布しておき、成型工程において湾曲音響シート２１、補強シート２２、および湾曲音響シート１０１を同時に接着できるようにしてもよい。
【０１０１】
以上のように、略同形状の湾曲音響シート２１、補強シート２２、および湾曲音響シート１０１を重ねて配置することでも、図１に示した圧電オーディオデバイス１１と同様に、小型かつ良好な周波数特性で、形状が安定した電気音響変換器を得ることができる。
【０１０２】
また、湾曲音響シート２１と湾曲音響シート１０１は予め分極処理されたものであるが、これらの湾曲音響シート２１と湾曲音響シート１０１の電極配線は、例えば図５の矢印Ｑ１１や矢印Ｑ１２に示すような配線とすることができる。なお、図５において、図４における場合と対応する部分には同一の符号を付してあり、その説明は適宜省略する。
【０１０３】
図５に示す例では、湾曲音響シート２１は圧電材料１３１と、その圧電材料１３１の両方の面に設けられた電極１３２および電極１３３とから構成されている。特に、この例では電極１３２が図１に示した電極部２６−１に接続され、電極１３３が図１に示した電極部２６−２に接続される。
【０１０４】
同様に、湾曲音響シート１０１は圧電材料１３４と、その圧電材料１３４の両方の面に設けられた電極１３５および電極１３６とから構成されている。
【０１０５】
図４に示した圧電オーディオデバイス１１では、湾曲音響シート２１および湾曲音響シート１０１として圧電デバイスが用いられており、それらの圧電デバイスの各面から電極を引き出す必要がある。
【０１０６】
また、図４に示した圧電オーディオデバイス１１では、湾曲音響シート２１、補強シート２２、および湾曲音響シート１０１は一体的に成型されているから、何れも同じ方向に凹凸を有している。
【０１０７】
いま、例えば図５の矢印Ｑ１１に示すように、湾曲音響シート２１および湾曲音響シート１０１に供給される音響信号が、電極１３２および電極１３３について順相であり、電極１３５および電極１３６についても順相であるとする。この場合、電極１３２および電極１３５が＋側の電極となり、電極１３３および電極１３６がグランド側（以下、Ｇ側とも称する）、つまり−側の電極となる。
【０１０８】
そこで、＋側同士の電極１３２と電極１３５とを接続するとともに、Ｇ側同士の電極１３３と電極１３６とを接続することで、電気音響変換された出力は何れも図中、上方向または下方向という同じ方向となる。すなわち、湾曲音響シート２１と湾曲音響シート１０１が同じ方向に振動する。これにより、再生される音の音圧を向上させることができる。
【０１０９】
また、例えば矢印Ｑ１２に示すように、湾曲音響シート２１および湾曲音響シート１０１に供給される音響信号が、電極１３２および電極１３３について順相であるが、電極１３５および電極１３６については逆相であるとする。この場合、逆相では＋側とＧ側とが入れ替わるので、電極１３２および電極１３６が＋側の電極となり、電極１３３および電極１３５がＧ側の電極となる。
【０１１０】
そこで、＋側同士の電極１３２と電極１３６とを接続するとともに、Ｇ側同士の電極１３３と電極１３５とを接続することで、電気音響変換された出力は何れも図中、上方向または下方向という同じ方向となる。すなわち、湾曲音響シート２１と湾曲音響シート１０１が同じ方向に振動する。これにより、再生される音の音圧を向上させることができる。
【０１１１】
このように湾曲音響シート２１と湾曲音響シート１０１の電極を接続することにより、成型された湾曲音響シート２１、補強シート２２、および湾曲音響シート１０１の形状をより安定的に保持することができるとともに、音圧の感度を向上させることができる。
【０１１２】
なお、図４に示した圧電オーディオデバイス１１では、湾曲音響シート２１と湾曲音響シート１０１の間に補強シート２２が設けられる例について説明したが、補強シート２２が設けられず、湾曲音響シート２１と湾曲音響シート１０１が互いに隣接するように重ねられて設けられるようにしてもよい。湾曲音響シート２１や湾曲音響シート１０１に設けられた電極の表面は絶縁処理されていることから、これらの湾曲音響シート２１と湾曲音響シート１０１を直接重ね合わせても圧電オーディオデバイス１１の特性や動作に影響が生じることはない。
【０１１３】
このように補強シート２２が設けられず、湾曲音響シート２１と湾曲音響シート１０１が設けられるようにしても、湾曲音響シート２１と湾曲音響シート１０１とを重ねることで形状を安定させることができる。これにより、小型かつ良好な周波数特性で、形状が安定した電気音響変換器を得ることができる。この場合、例えば湾曲音響シート２１を構成する圧電材料と湾曲音響シート１０１を構成する圧電材料とを成型加工前の前処理の段階で接着剤等により接着し、貼り合わせる等することができる。
【０１１４】
〈第２の実施の形態〉
〈圧電オーディオ装置の構成例〉
次に、本技術を、以上において説明した圧電オーディオデバイスを複数有する圧電オーディオ装置に適用した実施の形態について説明する。
【０１１５】
図６は、本技術を適用した圧電オーディオ装置の外観の構成例を示す図である。
【０１１６】
図６に示す圧電オーディオ装置２０１は、入力された音響信号としての電気信号に応じて振動し、音響信号を音へと変換する電気音響変換装置、すなわちスピーカ（スピーカシステム）である。
【０１１７】
この例では、圧電オーディオ装置２０１は圧電オーディオデバイス２１１、圧電オーディオデバイス２１２−１、圧電オーディオデバイス２１２−２、フレーム２１３、およびベース２１４を有している。
【０１１８】
圧電オーディオ装置２０１では、板状のフレーム２１３には、図１に示した圧電オーディオデバイス１１に対応する３つの圧電オーディオデバイス２１１、圧電オーディオデバイス２１２−１、および圧電オーディオデバイス２１２−２が設けられている。
【０１１９】
また、フレーム２１３の図中、下側にはベース２１４が固定されており、このベース２１４によって圧電オーディオ装置２０１が自立することができるようになされている。
【０１２０】
圧電オーディオデバイス２１１は、例えば図１に示した圧電オーディオデバイス１１と同じ構成となっており、特に高域の周波数帯域の音を再生するための高域用のスピーカユニットである。
【０１２１】
これに対して、圧電オーディオデバイス２１２−１および圧電オーディオデバイス２１２−２は、例えば図１に示した圧電オーディオデバイス１１と同じ構成となっており、特に低域の周波数帯域の音を再生するための低域用のスピーカユニットである。
【０１２２】
なお、以下、圧電オーディオデバイス２１２−１および圧電オーディオデバイス２１２−２を特に区別する必要のない場合、単に圧電オーディオデバイス２１２とも称することとする。
【０１２３】
ここでは、高域用の圧電オーディオデバイス２１１と、低域用の圧電オーディオデバイス２１２とは同じ構成となっているが、高域用の圧電オーディオデバイス２１１の湾曲音響シートおよび補強シートの面積は、低域用の圧電オーディオデバイス２１２の湾曲音響シートおよび補強シートの面積よりも小さくなっている。つまり、圧電オーディオデバイス２１１の大きさは、圧電オーディオデバイス２１２の大きさよりも小さくなっている。
【０１２４】
ここで、圧電オーディオデバイス２１１や圧電オーディオデバイス２１２の湾曲音響シートおよび補強シートとは、図２に示した湾曲音響シート２１および補強シート２２に対応するものであり、圧電オーディオデバイス２１１と圧電オーディオデバイス２１２とでは、この湾曲音響シートと補強シートの面部分の面積が異なる。
【０１２５】
なお、圧電オーディオデバイス２１１および圧電オーディオデバイス２１２の構成や、それらの圧電オーディオデバイスの湾曲音響シートの形状は、図１に示した例に限らず、その他、図３や図４に示した構成や形状など、どのような構成および形状であってもよい。また、圧電オーディオデバイス２１１と圧電オーディオデバイス２１２とで構成が異なっていたり、それらの湾曲音響シートの形状が異なっていたりしてもよい。
【０１２６】
圧電オーディオデバイス２１１と圧電オーディオデバイス２１２の構成は、それらの圧電オーディオデバイス２１１と圧電オーディオデバイス２１２が並列接続可能であれば、どのような構成であってもよい。例えば低域用と高域用の圧電オーディオデバイスの構成は、それらの圧電オーディオデバイスの音圧差などを考慮して選択すればよい。
【０１２７】
圧電オーディオ装置２０１では、高域用の圧電オーディオデバイス２１１と、低域用の２つの圧電オーディオデバイス２１２とが電気的に並列に接続されている。これにより、圧電オーディオ装置２０１を一体のスピーカシステムとして１つのチャンネルの増幅器により駆動することが可能である。
【０１２８】
なお、ここでは低域用として２つの圧電オーディオデバイス２１２が設けられる例について説明するが、低域用の圧電オーディオデバイス２１２は１つであってもよいし、３以上であってもよい。同様に、高域用の圧電オーディオデバイス２１１も２以上設けられるようにしてもよい。さらに、中域用の圧電オーディオデバイスも設けられるなど、３以上の互いに湾曲音響シートの面積が異なる圧電オーディオデバイスが圧電オーディオ装置２０１に設けられるようにしてもよい。
【０１２９】
〈圧電オーディオ装置の回路構成例〉
次に、図６に示した圧電オーディオ装置２０１の回路構成について説明する。図７は、圧電オーディオ装置２０１の回路構成例を示す図である。なお、図７において図６における場合と対応する部分には同一の符号を付してあり、その説明は適宜省略する。
【０１３０】
図７に示す圧電オーディオ装置２０１は、圧電オーディオデバイス２１１、圧電オーディオデバイス２１２−１、圧電オーディオデバイス２１２−２、および保護調整部２４１を有している。
【０１３１】
また、圧電オーディオ装置２０１には、増幅器２５１および信号処理部２５２を有する外部の音響再生制御装置が接続されている。
【０１３２】
すなわち、圧電オーディオデバイス２１１、圧電オーディオデバイス２１２−１、および圧電オーディオデバイス２１２−２は、増幅器２５１に対して並列に接続されている。特に低域用の圧電オーディオデバイス２１２−１および圧電オーディオデバイス２１２−２の一方の電極と、増幅器２５１との間には、保護調整部２４１が直列に接続されている。この保護調整部２４１は、高域用の圧電オーディオデバイス２１１には接続されていない。すなわち、保護調整部２４１は、高域用の圧電オーディオデバイス２１１に対しては直列に接続されていない。
【０１３３】
例えば圧電オーディオデバイス２１１における、図１に示した電極部２６−１に対応する電極部と、図１に示した電極部２６−２に対応する電極部とが、それぞれ異なる音響信号線を介して増幅器２５１に接続されている。
【０１３４】
同様に、圧電オーディオデバイス２１２における、図１に示した電極部２６−１に対応する電極部と、図１に示した電極部２６−２に対応する電極部とが、それぞれ異なる音響信号線を介して増幅器２５１に接続されており、そのうちの一方の電極部と増幅器２５１との間には保護調整部２４１が直列に接続されている。
【０１３５】
保護調整部２４１は、例えば保護抵抗などからなり、圧電オーディオデバイス２１２や増幅器２５１を保護するとともに、圧電オーディオデバイス２１２、すなわち圧電オーディオ装置２０１の周波数特性を調整する。
【０１３６】
なお、保護調整部２４１としての保護抵抗の抵抗値は、圧電オーディオ装置２０１全体のインピーダンスや、高域用の圧電オーディオデバイス２１１の周波数特性と、低域用の圧電オーディオデバイス２１２の周波数特性とのクロスオーバーの特性などが考慮されて定められた値とされる。また、保護調整部２４１は、保護抵抗の他、例えば保護抵抗とインダクタからなるローパスフィルタなどとされてもよい。
【０１３７】
音響信号に基づく音の再生時には、信号処理部２５２により、適宜、音響信号に対して音響特性の補正処理等の各種の処理が行われ、その結果得られた音響信号が信号処理部２５２から増幅器２５１へと供給される。
【０１３８】
そして、音響信号は増幅器２５１において増幅されて圧電オーディオデバイス２１１および圧電オーディオデバイス２１２へと供給される。このとき、増幅器２５１の一方の端から出力された音響信号は、直接、圧電オーディオデバイス２１１に供給されるとともに、保護調整部２４１を介して圧電オーディオデバイス２１２にも供給される。また、増幅器２５１の他方の端から出力された音響信号は、直接、圧電オーディオデバイス２１１および圧電オーディオデバイス２１２に供給される。
【０１３９】
すると、圧電オーディオデバイス２１１および圧電オーディオデバイス２１２は、供給された音響信号に応じて振動し、音を再生する。
【０１４０】
この場合、再生される音の周波数帯域のうちの低域については、専ら低域用の圧電オーディオデバイス２１２で再生され、再生される音の周波数帯域のうちの高域については、専ら高域用の圧電オーディオデバイス２１１で再生される。
【０１４１】
ところで、圧電オーディオ装置２０１全体の周波数特性は、例えば図８に示すようになる。なお、図８において横軸は周波数を示しており、縦軸は音圧を示している。
【０１４２】
図８は、圧電オーディオ装置２０１について測定された、システム全体の周波数特性を示している。この例では、圧電オーディオ装置２０１の周波数特性として、低域から超高域まで各周波数で十分な音圧が確保され、ピークやディップの少ない良好な周波数特性が得られていることが分かる。
【０１４３】
圧電オーディオ装置２０１では、2kHz付近の周波数が、高域用の圧電オーディオデバイス２１１の音圧と、低域用の圧電オーディオデバイス２１２の音圧とが等しくなるクロスオーバー付近の周波数となっている。
【０１４４】
このクロスオーバー付近の周波数帯域では、圧電オーディオデバイス２１１の自然の特性により減衰された周波数特性と、直列接続された保護調整部２４１によって減衰された２つの圧電オーディオデバイス２１２の周波数特性とが合わさって、良好な周波数特性が得られる。
【０１４５】
図９は、高域用の圧電オーディオデバイス２１１について測定された周波数特性と、低域用の２つの圧電オーディオデバイス２１２について測定された周波数特性を示す図である。なお、図９において横軸は周波数を示しており、縦軸は音圧を示している。
【０１４６】
図９では、曲線Ｌ１１は低域用の２つの圧電オーディオデバイス２１２で同時に音を再生したときの周波数特性を示しており、曲線Ｌ１２は高域用の圧電オーディオデバイス２１１のみで音を再生したときの周波数特性を示している。
【０１４７】
この例では、曲線Ｌ１１と曲線Ｌ１２とで音圧が略等しくなる2kHz付近がクロスオーバーの周波数となっている。
【０１４８】
また、曲線Ｌ１２から分かるように、低域部分の周波数帯域では圧電オーディオデバイス２１１の湾曲音響シートの面積に起因して音圧が降下している。
【０１４９】
これに対して、曲線Ｌ１１から分かるように、高域部分の周波数帯域では保護調整部２４１に起因して音圧が降下している。
【０１５０】
しかし、これらの圧電オーディオデバイス２１１と圧電オーディオデバイス２１２とを合わせて用いると、図８に示したように低域から、40kHz以上の超高域の周波数まで、広い周波数帯域にわたってピークやディップの少ない良好な周波数特性を得ることができる。
【０１５１】
ここで、圧電オーディオ装置２０１について、40kHz以上の超高域の再生を考慮した場合の作用について説明する。
【０１５２】
図１０は、低域用の２つの圧電オーディオデバイス２１２のインピーダンス特性、すなわち各周波数におけるインピーダンスの一例を示している。なお、図１０において横軸は周波数を示しており、縦軸はインピーダンスを示している。
【０１５３】
図１０から分かるように、圧電オーディオデバイス２１２は容量性の周波数特性を有している。したがって、周波数が高いとインピーダンスが低くなり、図１０に示す例において高域では圧電オーディオデバイス２１２のインピーダンスが低くなっていることが分かる。
【０１５４】
そのため、一般的にはシステムを保護するために増幅器と各圧電オーディオデバイスとの間に直列に保護抵抗が接続される。しかし、超高域の周波数帯域の再生を考慮した場合、保護抵抗は分圧効果を生じさせ、結果的に超高域において音圧降下が生じてしまう。
【０１５５】
そこで、圧電オーディオ装置２０１では、インピーダンスの低い低域用の２つの圧電オーディオデバイス２１２に対してのみ保護調整部２４１を接続し、高域用の圧電オーディオデバイス２１１の経路には保護調整部２４１の影響が生じないような構成とされている。
【０１５６】
これは、音響効果を有する湾曲音響シートの面積が比較的小さい高域用の圧電オーディオデバイス２１１は、超高域においても十分なインピーダンスを確保できるため、保護のために保護調整部２４１を接続する必要性が、低域用の圧電オーディオデバイス２１２よりも少ないことによる。
【０１５７】
これに対して、湾曲音響シートの面積が比較的大きい低域用の圧電オーディオデバイス２１２については、保護調整部２４１を接続することで圧電オーディオデバイス２１２が保護されている。また、保護調整部２４１を接続することで、圧電オーディオデバイス２１２の周波数特性の調整を行うことができる。例えば保護調整部２４１としての保護抵抗の抵抗値を適切に調整することで、図９の曲線Ｌ１１に示した圧電オーディオデバイス２１２の周波数特性を変化させることができる。
【０１５８】
以上のように、圧電オーディオデバイス２１１には保護調整部２４１が接続されず、圧電オーディオデバイス２１２のみに保護調整部２４１が接続される構成とすることで、適切に圧電オーディオ装置２０１を保護しつつ、超高域においても良好な周波数特性を得ることができる。
【０１５９】
＜圧電オーディオデバイスの製造方法＞
ところで、以上において説明した圧電オーディオデバイスは、例えば圧空成型等により製造することが可能である。
【０１６０】
ここで、圧電オーディオデバイスの圧空成型による製造方法について、図１１乃至図１３を参照して説明する。
【０１６１】
なお、図１１は、圧電オーディオデバイスを製造する製造処理を説明するフローチャートであり、図１２および図１３は、圧電オーディオデバイスの製造工程について説明する図である。なお、図１２および図１３において互いに対応する部分には同じ符号を付してあり、その説明は適宜省略する。
【０１６２】
図１１に示す製造処理では、ステップＳ１１において金型が加熱される。
【０１６３】
すなわち、圧電オーディオデバイスを製造する製造装置である圧空成型機は、例えば図１２の矢印Ｑ４１に示すように、所定の深さを有する立体形状の金型３０１と、空気圧による成型加工を行うためのシリンダ形状の空圧部３０２とを有している。
【０１６４】
金型３０１は、その表面部分に製造しようとする圧電オーディオデバイスの湾曲音響シートの放射面部分と略同形状の凹部３１１を有しており、この金型３０１には図示せぬ加熱機構や冷却機構が接続されている。
【０１６５】
また、空圧部３０２における金型３０１側の面には、例えばシリコンなどの耐熱性を有する部材からなり、金型３０１と空圧部３０２との間の空間が密閉された空間となるようにするためのリング形状の固定部３１２が設けられている。
【０１６６】
この固定部３１２は圧電オーディオデバイスの材料となるシート形状の圧電材料（圧電デバイス）とシート部材を金型３０１に押さえ付けて、それらの圧電デバイスとシート部材が動かないように固定するためにも用いられる。
【０１６７】
ここで、圧電材料は圧電オーディオデバイスの湾曲音響シートと、押さえ部の一部とを形成する部材であり、シート部材は圧電オーディオデバイスの補強シートと、押さえ部の一部とを形成する部材である。
【０１６８】
さらに、金型３０１には図中、点線で描かれた小さな貫通孔３１３−１乃至貫通孔３１３−７が設けられている。なお、以下、貫通孔３１３−１乃至貫通孔３１３−７を特に区別する必要のない場合、単に貫通孔３１３とも称することとする。
【０１６９】
この例では、金型３０１表面における凹部３１１の部分に、金型３０１の図中、上側の表面と、金型３０１の図中、下側の表面とを貫通する微小な径の貫通孔３１３が複数形成されている。これらの貫通孔３１３は、後述するように圧空成型時に空気を逃すためのものである。
【０１７０】
ステップＳ１１の処理は加熱工程の処理であり、金型３０１が図示せぬ加熱機構により加熱される。なお、金型３０１の加熱温度は、圧電オーディオデバイスの材料となる圧電材料の特性が考慮されて決定される。ここでは、例えば金型３０１の加熱の設定温度はキュリー点よりも低い温度とされ、圧電材料（圧電デバイス）が有する圧電性の消失が発生しないようにされる。
【０１７１】
ステップＳ１２において、圧電オーディオデバイスの材料となるシート部材に対する前処理等が、必要に応じて行われる。
【０１７２】
この前処理工程では、例えば図１２の矢印Ｑ４２に示すように圧電オーディオデバイスの材料となるシート部材３３１に切り込みを入れることによりスリット３３２が形成される。この例では矩形シート状のシート部材３３１には、対角線方向に長い互いに垂直な直線からなる十字型のスリット３３２が形成されている。
【０１７３】
なお、このスリット３３２は、後述する圧空成型時に空気を逃すためのものであり、スリット３３２の形状はどのような形状であってもよい。例えば矢印Ｑ４３に示すように、矩形シート状のシート部材３３１に直線状の平行な２つの切り込みが入れられて、それらの切り込みがスリット３３３−１およびスリット３３３−２とされるようにしてもよい。
【０１７４】
この前処理工程ではこの他、圧電材料とシート部材が接着される。例えば接着剤が用いられて、第１の圧電材料と第２の圧電材料が接着される。また、例えば第１の圧電材料と第２の圧電材料との間に接着剤が塗布されたシート部材を挟むように配置し、それらを貼り合わせることで第１の圧電材料と第２の圧電材料が接着される。
【０１７５】
ステップＳ１３において圧電オーディオデバイスの材料となるシート、すなわち圧電材料とシート部材が金型の上面に配置される。
【０１７６】
例えば図１２の矢印Ｑ４４に示すように、圧電オーディオデバイスの材料として、適切な大きさにカットされたシート状の圧電材料３４１−１および圧電材料３４１−２と、シート部材３３１とが用いられるとする。
【０１７７】
この場合、圧電材料３４１−１と圧電材料３４１−２の間にシート部材３３１がある状態で、それらの圧電材料３４１−１、シート部材３３１、および圧電材料３４１−２が揃えて重ねられ、加熱された金型３０１の空圧部３０２側の面（上面）に配置される。なお、以下、圧電材料３４１−１および圧電材料３４１−２を特に区別する必要のない場合、単に圧電材料３４１とも称することとする。
【０１７８】
続いて、ステップＳ１４において、金型上に配置された圧電材料およびシート部材が加熱される。
【０１７９】
すなわち、図１３の矢印Ｑ４５に示すように、金型３０１上に圧電材料３４１およびシート部材３３１が配置された状態で空圧部３０２が金型３０１に対して機械的に押さえ付けられる。このとき圧電材料３４１およびシート部材３３１が固定部３１２により金型３０１上面に押さえ付けられて固定されるとともに、金型３０１の上面、空圧部３０２の金型３０１側の面、および固定部３１２により囲まれる空間（以下、圧空成型空間とも称することとする）は密閉された状態となる。つまり、圧電材料３４１およびシート部材３３１が配置された圧空成型空間に一定以上の気密性が与えられる。
【０１８０】
このような状態で継続して金型３０１への加熱が行われると、金型３０１により圧電材料３４１およびシート部材３３１が加熱されることになる。なお、圧電材料３４１およびシート部材３３１の加熱時間は、製造する圧電オーディオデバイスの特性が考慮されて適切に決定される。
【０１８１】
ステップＳ１５において圧電材料およびシート部材が圧空成型される。
【０１８２】
この圧空成型工程では、例えば図１３の矢印Ｑ４６に示すように、金型３０１により圧電材料３４１およびシート部材３３１が加熱されている状態で、金型３０１上面に配置された圧空成型空間内の圧電材料３４１およびシート部材３３１に対して、空圧部３０２により空気圧が加えられる。
【０１８３】
このようにすることで、空気圧によって圧電材料３４１およびシート部材３３１が金型３０１の凹部３１１に圧着し、圧電材料３４１およびシート部材３３１の中央部分が凹部３１１の形状に圧空成型される。すなわち、圧電材料３４１およびシート部材３３１の中央部分が凹部３１１と同様の深さを有する立体形状に成型される。
【０１８４】
ここで、圧電材料３４１のうちの圧空成型された立体形状部分、つまり凹部３１１と略同じ形状に成型された部分が、上述した圧電オーディオデバイスの湾曲音響シート部分となる。同様に、シート部材３３１のうちの圧空成型された立体形状部分、つまり凹部３１１と略同じ形状に成型された部分が、上述した圧電オーディオデバイスの補強シート部分となる。また、圧電材料３４１およびシート部材３３１における、湾曲音響シート部分や補強シート部分の端に設けられた残りの部分が押さえ部となる。
【０１８５】
図１３に示す例では、空圧部３０２は、その後方より気体を送り出して圧空成型空間に圧力を加えることができる構造となっている。
【０１８６】
さらに、金型３０１表面における凹部３１１の部分には、金型３０１を貫通する微小な径の貫通孔３１３が複数形成されている。
【０１８７】
圧空成型工程では貫通孔３１３を介して、圧電材料３４１およびシート部材３３１と、凹部３１１との間にある空気を圧空成型空間の外へと逃すことができるようになされている。また、シート部材３３１にはスリット３３２が設けられているので、圧空成型時には、このスリット３３２により圧電材料３４１とシート部材３３１との間の空気を逃すことができる。
【０１８８】
このように貫通孔３１３やスリット３３２により空気を逃すことによって、圧空成型時に圧電材料３４１とシート部材３３１の部分におけるしわや気泡の発生を抑制することができ、見栄えも音響特性も良好な圧電オーディオデバイスを得ることができる。特に、複数の貫通孔３１３が設けられる場合、それらの貫通孔３１３は、金型３０１表面において等間隔に並ぶように設けられたり、同心円状に並ぶように設けられたりすることで、より適切に空気を逃すことができるようになり、圧空成型時の加工精度を向上させることができる。
【０１８９】
一般的に圧電材料３４１等は、ポリエチレンテレフタレート、ポリエチレンナフタレート、ポリイミド、ポリエーテルイミド、ポリカーボネートなどの通気性が非常に低い樹脂フィルムがカバー層として用いられている。そのため、圧空成型工程において空気を逃がすことができるようにすることで、圧電材料３４１とシート部材３３１をより好適に密着させることができる。
【０１９０】
ステップＳ１６において、圧電材料およびシート部材に対して圧力が加えられたままの状態で、それらの圧電材料およびシート部材の全体が冷却される。
【０１９１】
この冷却工程では、例えば図１３の矢印Ｑ４６に示した状態から金型３０１が冷却され、これにより圧電材料３４１とシート部材３３１に対して圧力が加えられた状態で、それらの圧電材料３４１とシート部材３３１が冷却される。その結果、所定の温度で成型された圧電材料３４１とシート部材３３１は、圧電材料３４１とシート部材３３１とが接着された状態のまま形状を保持することができるようになる。
【０１９２】
ステップＳ１７において、成型された圧電材料およびシート部材が一体となった状態のまま、それらの圧電材料およびシート部材が離型される。
【０１９３】
例えば図１２および図１３に示した例では、圧電材料３４１とシート部材３３１が金型３０１から取り外される。
【０１９４】
以上の工程により、所定の深さを有する立体形状からなる湾曲音響シートおよび補強シートと、それらの湾曲音響シートおよび補強シートに対して連続一体的であり、湾曲音響シートおよび補強シートの少なくとも一部を固定するための押さえ部とが同時に成型されたことになる。
【０１９５】
ステップＳ１８において、圧電材料とシート部材が適宜、加工される。
【０１９６】
すなわち、例えば図１２および図１３に示した例において、圧電材料３４１とシート部材３３１の端部分が押さえ部の形状等に合わせてカットされたり、圧電材料３４１に対して電極を引き出すための電極部が設けられたりする加工工程が行われる。
【０１９７】
以上のようにして加工が行われると、最終的に圧電オーディオデバイスが得られ、製造処理は終了する。
【０１９８】
例えば図１２および図１３に示した例では、圧電オーディオデバイスとして、図４に示した圧電オーディオデバイス１１と同様のものが得られる。この例では、図１２や図１３の圧電材料３４１の中央部分が、図４における湾曲音響シート２１や湾曲音響シート１０１に対応し、図１２や図１３のシート部材３３１の中央部分が、図４における補強シート２２に対応する。
【０１９９】
なお、ここでは、２つの圧電材料と１つのシート部材を重ね合わせる例について説明したが、２つの圧電材料を重ね合わせる場合や、１つの圧電材料と１つのシート部材を重ね合わせる場合においても図１１を参照して説明した製造処理と同様の処理で圧電オーディオデバイスを製造することができる。
【０２００】
また、１つの圧電材料と１つのシート部材を重ね合わせる場合などにおいて、シート部材としては、例えば不織布のように通気性を有する材料とすることが望ましい。このとき、通気性が高い材料であれば圧空成型工程において、圧電材料とシート部材の間の空気を逃がすことができるので、圧電材料とシート部材をより好適に密着させることができる。
【０２０１】
なお、例えば図１２および図１３を参照して説明したように、２つの圧電材料の間に１つのシート部材が配置される場合においても、シート部材として不織布のように通気性を有する材料を使用することができる。この様な構成とすることで、通気性を有する材料では圧空成型工程において圧電材料とシート部材の間の空気を逃がすことができるので、一方の圧電材料とシート部材、および他方の圧電材料とシート部材をより好適に密着させることができる。
【０２０２】
さらに、シート部材のシート面において、そのシート面には接着剤として熱可塑性接着剤が塗布されていてもよいし、シート部材の素材として例えばエラストマー樹脂が用いられたフィルム状の接着剤（例えば、熱可塑性接着剤）を用いてもよい。このときシート面は常温においては他の圧電材料等と接着性を有さず、所定の温度を超えて加熱したとき接着性を有するようになるので、圧空成型工程において加熱されている間だけ接着性を有している。すなわち、圧空成型工程において、例えば２つの圧電材料の間に配置されたシート部材としてのフィルム状の接着剤により、それらの２つの圧電材料が接着される。そのため、圧空成型工程においていっそう取扱いが容易になり、好適に成型加工を行うことができる。
【０２０３】
以上のようにして圧電オーディオデバイスを製造することで、圧電オーディオデバイスを好適に成型することができる。
【０２０４】
なお、ここでは圧電オーディオデバイスの製造方法、つまり圧電オーディオデバイスの成型方法として、圧空成型を用いる場合を例として説明した。特に、圧電オーディオデバイスの成型方法として圧空成型を採用すれば、プレス成型等を採用した場合よりも、低コストで圧電オーディオデバイスを得ることができ、また圧電材料やシート部材の厚みを自由に設計したり変更したりしても容易に成型を行うことができる。しかし、圧電オーディオデバイスの成型方法は、その他、プレス成型や真空成型、それらを組み合わせた成型方法など、どのような方法であってもよい。
【０２０５】
ところで、本技術の実施の形態は、上述した実施の形態に限定されるものではなく、本技術の要旨を逸脱しない範囲において種々の変更が可能である。
【０２０６】
また、本明細書中に記載された効果はあくまで例示であって限定されるものではなく、他の効果があってもよい。
【０２０７】
さらに、本技術は、以下の構成とすることも可能である。
【０２０８】
（１）
シート状の圧電材料からなり、湾曲した形状を有する第１のシートと、
前記第１のシートと略同形状であり、前記第１のシートに重ねられて配置された第２のシートと
を備える電気音響変換器。
（２）
前記第２のシートは不織布である
（１）に記載の電気音響変換器。
（３）
前記第１のシートと略同形状であり、前記第２のシートにおける前記第１のシート側とは反対側に重ねられて配置された、シート状の圧電材料からなる第３のシートをさらに備える
（２）に記載の電気音響変換器。
（４）
前記第２のシートは圧電材料からなる
（１）に記載の電気音響変換器。
（５）
前記第２のシートは前記第１のシートに接着されている
（１）乃至（４）の何れか一項に記載の電気音響変換器。
（６）
前記第１のシートおよび前記第２のシートは、前記第１のシートおよび前記第２のシートの端部分に設けられた押え部が、フレーム固定部材とフレームベースとの間に挟まれて押えられることにより固定されている
（１）乃至（５）の何れか一項に記載の電気音響変換器。
（７）
前記フレーム固定部材および前記フレームベースには、前記第１のシートおよび前記第２のシートを露出させる開口部が設けられている
（６）に記載の電気音響変換器。
（８）
前記フレーム固定部材および前記フレームベースの少なくとも何れか一方には、前記フレーム固定部材と前記フレームベースとが並ぶ第１の方向と略垂直な第２の方向から見たときに、前記第１の方向に対して開口部の幅が変化するようにテーパ部が形成されている
（７）に記載の電気音響変換器。
（９）
前記テーパ部は、前記第１の方向における前記第１のシートおよび前記第２のシートから遠い位置ほど開口部の幅が広くなるように形成されている
（８）に記載の電気音響変換器。
（１０）
前記テーパ部は、前記第１の方向における前記第１のシートおよび前記第２のシートから遠い位置ほど開口部の幅が狭くなるように形成されている
（８）に記載の電気音響変換器。
（１１）
湾曲した形状を有し、シート状の圧電材料からなる第１のシート、および前記第１のシートと略同形状であり、前記第１のシートに重ねられて配置された第２のシートを有する第１の電気音響変換器と、
シート状の圧電材料からなり、湾曲した形状を有し、前記第１のシートまたは前記第２のシートとは面積が異なる第３のシートを有する第２の電気音響変換器と
を備える電気音響変換装置。
（１２）
前記第１の電気音響変換器と前記第２の電気音響変換器のうちの低域用の電気音響変換器には、前記低域用の電気音響変換器を保護するとともに周波数特性を調整するための保護調整部が接続されている
（１１）に記載の電気音響変換装置。
（１３）
前記保護調整部は、保護抵抗またはローパスフィルタである
（１２）に記載の電気音響変換装置。
（１４）
湾曲した形状を有し、シート状の圧電材料からなる第１のシート、および前記第１のシートと略同形状であり、前記第１のシートに重ねられて配置された第２のシートを有する第１の電気音響変換器と、
湾曲した形状を有し、シート状の圧電材料からなる第３のシート、および前記第３のシートと略同形状であり、前記第３のシートに重ねられて配置された第４のシートを有し、前記第３のシートおよび前記第４のシートは前記第１のシートおよび前記第２のシートとは面積が異なる第２の電気音響変換器と
を備える電気音響変換装置。
【符号の説明】
【０２０９】
１１  圧電オーディオデバイス，  ２１  湾曲音響シート，  ２２  補強シート，  ２３  フレームリング，  ２４  フレームベース，  ２５  押え部，  ２８  開口部，  ２９  開口部，  ３０  テーパ部，  ３１  テーパ部，  １０１  湾曲音響シート，  ２０１  圧電オーディオ装置，  ２１１  圧電オーディオデバイス，  ２１２−１，２１２−２，２１２  圧電オーディオデバイス，  ２４１  保護調整部
【図１】
2018079583.tif 000003
【図２】
2018079583.tif 000004
【図３】
2018079583.tif 000005
【図４】
2018079583.tif 000006
【図５】
2018079583.tif 000007
【図６】
2018079583.tif 000008
【図７】
2018079583.tif 000009
【図８】
2018079583.tif 000010
【図９】
2018079583.tif 000011
【図１０】
2018079583.tif 000012
【図１１】
2018079583.tif 000013
【図１２】
2018079583.tif 000014
【図１３】
2018079583.tif 000015
【国際調査報告】
2018079583.tif 000016
2018079583.tif 000017
2018079583.tif 000018
2018079583.tif 000019